(57)【要約】【課題】光学素子を簡易かつ適正に取り付けることが可能な光学素子用のホルダおよびそれを用いた光ピックアップ装置を提供する。【解決手段】回折格子ホルダＨには、領域Ｒを規定する壁Ｈ１１ａ〜１１ｅが形成され、領域Ｒに係るように突部Ｈ１５が形成されている。突部Ｈ１５は、鍔部Ｈ１３に形成され、鍔部Ｈ１３が撓むことにより、領域Ｒから離れる方向に変位可能である。回折格子１０２の下面と左面を壁Ｈ１１ｅ、Ｈ１１ｄに当接させた状態で、領域Ｒに回折格子１０２を嵌め込むと、鍔部Ｈ１３が撓み、突部Ｈ１５が回折格子１０２の上面に乗り上げる。この状態から、回折格子１０２の後面が支持面Ｈ１６、Ｈ１７に当接するまで、回折格子１０２を押し込む。鍔部Ｈ１３の復帰力によって回折格子１０２が壁Ｈ１１ｅに押し付けられ、位置決めされる。この状態で、凹部Ｈ１９ａ、Ｈ１９ｂに接着剤を付与する。【選択図】図５
2013105516.tif 000002
【特許請求の範囲】
【請求項１】
光学素子を保持して設置部材に装着するためホルダにおいて、
前記ホルダは、可撓性を有する材料からなっており、
前記光学素子が所定の隙間をもって嵌め込まれる領域を規定する壁面と、
前記壁面に垂直な方向に突出し、前記領域から離れる方向に変形可能な支持部に形成された突部と、
前記光学素子が前記領域に嵌め込まれたときに、嵌め込み方向側にある前記光学素子の側面に当接する支持面と、が前記ホルダに一体形成され、
前記突部は、前記突部に対向する前記壁面に前記光学素子の側面を当接させつつ前記領域に前記光学素子が嵌め込まれると、前記突部の先端が前記光学素子の端縁に当たるように形成され、前記突部の先端が前記光学素子の前記端縁に当たった状態から前記光学素子がさらに前記嵌め込み方向に押し込まれると、前記支持部が弾性的に変形して、前記突部が、前記光学素子の前記端縁を乗り越えて前記光学素子の側面に当接し、前記嵌め込み方向側にある前記光学素子の前記側面が前記支持面に当接する、
ことを特徴とする光学素子用のホルダ。
【請求項２】
請求項１に記載の光学素子用のホルダにおいて、
前記突部は、前記光学素子の嵌め込み方向に延びる注状の形状を有する、
ことを特徴とする光学素子用のホルダ。
【請求項３】
請求項２に記載の光学素子用のホルダにおいて、
前記光学素子が前記領域に嵌め込まれる際に前記光学素子の前記端縁が当接する前記突部の側面が、前記領域の内側に向かって次第に前記支持面に近づくように傾斜している、ことを特徴とする光学素子用のホルダ。
【請求項４】
請求項１ないし３の何れか一項に記載の光学素子用のホルダにおいて、
前記領域の外周に沿って、前記支持面よりも前記嵌め込み方向に後退した溝部が形成されている、
ことを特徴とする光学素子用のホルダ。
【請求項５】
請求項１ないし４の何れか一項に記載の光学素子用のホルダにおいて、
前記光学素子は、四角形の輪郭を有し、
前記四角形の４つの辺にそれぞれ対応する壁面が形成され、
前記突部は、前記壁面により規定される四角形の領域の一辺に掛かるように形成され、
前記光学素子は、前記四角形の領域の前記突部が掛かる辺に対向する第１の辺を規定する第１の壁面と、前記第１の辺に隣り合う第２の辺を規定する第２の壁面とに押し付けられるようにして、前記壁面の内側に嵌め込まれる、
ことを特徴とする光学素子用のホルダ。
【請求項６】
請求項５に記載の光学素子用のホルダにおいて、
前記第１の辺と前記第２の辺との境界部分に、前記光学素子の角部と前記ホルダとの当接を回避するための逃がし部が形成されている、
ことを特徴とする光学素子用のホルダ。
【請求項７】
請求項５または６に記載の光学素子用のホルダにおいて、
前記四角形の領域の前記突部が掛かる前記辺を規定する壁面が、第３の壁面と第４の壁面に分離されているとともに、前記突部が前記第３の壁面に形成され、前記第３の壁面と前記第４の壁面とを分離する空間が、前記第３の壁面と前記第４の壁面の間から前記第３の壁面に対して前記突部と反対側の領域へと連通して設けられることにより、前記第３の
壁面と前記空間との間に前記支持部が形成されている、
ことを特徴とする光学素子用のホルダ。
【請求項８】
請求項１ないし７の何れか一項に記載の光学素子用のホルダにおいて、
前記領域を挟む位置に形成され、空間によって区画されることにより前記嵌め込み方向に可撓性を有する板状の第１および第２の腕部と、
前記第１および第２の腕部の片方の面にそれぞれ形成され、前記ホルダが前記設置部材に装着される際に、前記設置部材の当接面に当接する第１および第２の突部と、をさらに備え、
前記ホルダが前記設置部材に設置されると、前記第１および第２の突部が前記当接面に当接することにより前記第１および第２の腕部が弾性変形し、変形した前記第１および第２の腕部の弾性復帰力により、前記ホルダの側面が、前記設置部材の保持部に押し付けられる、
ことを特徴とする光学素子用のホルダ。
【請求項９】
請求項８に記載の光学素子用のホルダにおいて、
前記ホルダが前記設置部材に設置されると前記設置部材側の受け部に載置され、中心軸が前記嵌め込み方向に平行となるよう形成された円柱状の支軸部を、さらに備え、
前記ホルダが前記設置部材に設置されると、前記支軸部が前記受け部に載置され、前記ホルダが、前記支軸部を軸として揺動可能に前記設置部材に保持される、
ことを特徴とする光学素子用ホルダ。
【請求項１０】
請求項１ないし９の何れか一項に記載の光学素子用のホルダと、
前記ホルダに装着される光学素子と、を備える、
ことを特徴とする光学素子ユニット。
【請求項１１】
請求項１ないし８の何れか一項に記載の光学素子用のホルダと、
レーザ光源から出射されたレーザ光をディスクに照射するための光学系と、
前記光学系が設置される前記設置部材としてのハウジングと、を備え、
前記光学系を構成する少なくとも一つの光学素子が前記ホルダに保持され、前記光学素子を保持した前記ホルダが前記ハウジングのホルダ装着部に取り付けられる、
ことを特徴とする光ピックアップ装置。
【発明の詳細な説明】
【技術分野】
【０００１】
本発明は、光学素子用のホルダ、当該ホルダに光学素子が装着された光学素子ユニット、および、当該光学素子ユニットを搭載する光ピックアップ装置に関する。
【背景技術】
【０００２】
従来、光ピックアップ装置には、回折格子やハーフミラー等の種々の光学素子が設置されている。これら光学素子は、光ピックアップ装置のハウジングに精度良く取り付けられる必要がある。この場合、光学素子は、ホルダに装着された状態でハウジングに取り付けられる場合がある。たとえば、矩形状の回折格子をハウジングに設置する場合、回折格子をホルダに装着した後、ホルダがハウジングに取り付けられる（たとえば、特許文献１）。
【先行技術文献】
【特許文献】
【０００３】
【特許文献１】特開２０１１−１０８３２２号公報
【発明の概要】
【発明が解決しようとする課題】
【０００４】
上記のようにホルダを用いて光学素子をハウジングに装着する場合、まずは、光学素子をホルダに精度良く装着する必要がある。光学素子がホルダに対してずれていると、ホルダをハウジングに精度良く装着しても、光学素子が適正な位置からずれてしまい、所期の光学特性が発揮されない。
【０００５】
本発明は、かかる問題を解消するためになされたものであり、光学素子を簡易かつ適正に取り付けることが可能な光学素子用のホルダ、当該ホルダに光学素子が装着されてなる光学素子ユニット、および、当該光学素子ユニットを搭載する光ピックアップ装置を提供することを目的とする。
【課題を解決するための手段】
【０００６】
本発明の第１の態様は、光学素子を保持して設置部材に装着するためのホルダに関する。本態様において、前記ホルダは、可撓性を有する材料からなっている。前記ホルダには、前記光学素子が所定の隙間をもって嵌め込まれる輪郭の領域を規定する壁面と、前記壁面に垂直な方向に突出し、前記領域から離れる方向に変形可能な支持部に形成された突部と、前記光学素子が前記領域に嵌め込まれたときに、嵌め込み方向側にある前記光学素子の側面に当接する支持面と、が一体形成されている。前記突部は、前記突部に対向する前記壁面に前記光学素子の側面を当接させつつ前記領域に前記光学素子が嵌め込まれると、前記突部の先端が前記光学素子の端縁に当たるように形成される。前記突部の先端が前記光学素子の前記端縁に当たった状態から前記光学素子がさらに前記嵌め込み方向に押し込まれると、前記支持部が弾性的に変形して、前記突部が、前記光学素子の前記端縁を乗り越えて前記光学素子の側面に当接し、前記嵌め込み方向側にある前記光学素子の前記側面が前記支持面に当接する。
【０００７】
本態様のホルダによれば、突部に対向する壁面に光学素子の側面を当接させつつ壁面により規定された領域に光学素子を嵌め込むことにより、光学素子をホルダに保持させることができる。このとき、支持部が弾性的に変形し、その復元力によって、光学素子が壁面に押し付けられる。これにより、光学素子の位置ずれが抑制され、ホルダに対して光学素子が位置決めされる。また、嵌め込み方向側にある光学素子の側面がホルダ側の支持面に
当接することにより、嵌め込み方向において、光学素子が位置決めされる。このように、本態様によれば、光学素子を簡易かつ適正にホルダに取り付けることができる。
【０００８】
本態様のホルダにおいて、前記突部は、前記光学素子の嵌め込み方向に延びる注状の形状を有するのが望ましい。こうすると、嵌め込み方向（光学素子の厚み方向）の広い範囲において、突部が光学素子を押すようになるため、安定的に、光学素子を壁部に押し付けることができる。
【０００９】
また、この場合、前記光学素子が前記領域に嵌め込まれる際に前記光学素子の前記端縁が当接する前記突部の側面が、前記領域の内側に向かって次第に前記支持面に近づくように傾斜しているのが望ましい。こうすると、光学素子の前記端縁が突部の側面に当接した後に突部を変位させ易くなり、光学素子の取り付け作業が容易になる。
【００１０】
なお、前記領域の外周に沿って、前記支持面よりも前記嵌め込み方向に後退した溝部を形成するのが望ましい。こうすると、支持面と壁部との境界が、ホルダ成形時のなまりによって丸みを帯びても、この部分に光学素子が当接するのを回避できる。よって、光学素子をホルダに適正に取り付けることができる。
【００１１】
本態様のホルダにおいて、前記光学素子は、たとえば四角形の輪郭を有するものとされ得る。この場合、ホルダには、前記四角形の４つの辺にそれぞれ対応する壁面が形成され、前記突部は、前記壁面により規定される四角形の領域の一辺に掛かるように形成される。そして、前記光学素子は、前記四角形の領域の前記突部が掛かる辺に対向する第１の辺を規定する第１の壁面と、前記第１の辺に隣り合う第２の辺を規定する第２の壁面とに押し付けられるようにして、前記壁面の内側に嵌め込まれる。
【００１２】
この構成では、前記第１の辺と前記第２の辺との境界部分に、前記光学素子の角部と前記ホルダとの当接を回避するための逃がし部が形成されるのが望ましい。こうすると、前記第１の辺と前記第２の辺との境界部分において、ホルダ成形時のなまりによってホルダが丸みを帯びても、この部分に光学素子が当接するのを回避できる。よって、光学素子をホルダに適正に取り付けることができる。
【００１３】
また、この構成では、前記四角形の領域の前記突部が掛かる前記辺を規定する壁面が、第３の壁面と第４の壁面に分離されるよう構成され得る。この場合、前記突部が前記第３の壁面に形成され、前記第３の壁面と前記第４の壁面とを分離する空間が、前記第３の壁面と前記第４の壁面の間から前記第３の壁面に対して前記突部と反対側の領域へと連通して設けられることにより、前記第３の壁面と前記空間との間に前記支持部が形成されるよう構成され得る。こうすると、一体成形時にホルダに設けられる空間を調整することにより、突部を弾性的に変位させることができ、簡素な構成により、光学素子を保持するための機構を実現することができる。
【００１４】
本態様に係るホルダは、前記領域を挟む位置に形成され、空間によって区画されることにより前記嵌め込み方向に可撓性を有する板状の第１および第２の腕部と、前記第１および第２の腕部の片方の面にそれぞれ形成され、前記ホルダが前記設置部材に装着される際に、前記設置部材の当接面に当接する第１および第２の突部と、をさらに備える構成とされ得る。この場合、前記ホルダが前記設置部材に設置されると、前記第１および第２の突部が前記当接面に当接することにより前記第１および第２の腕部が弾性変形し、変形した前記第１および第２の腕部の弾性復帰力により、前記ホルダの側面が、前記設置部材の保持部に押し付けられる。この構成によれば、一体成形時にホルダに設けられる空間を調整することにより、第１および第２の腕部を弾性的に変位させることができ、簡素な構成により、光学素子を設置部材に保持させるための機構を実現することができる。
【００１５】
この構成において、ホルダは、前記ホルダが前記設置部材に設置されると前記設置部材側の受け部に載置され、中心軸が前記嵌め込み方向に平行となるよう形成された円柱状の支軸部を、さらに備える構成とされ得る。この場合、前記ホルダが前記設置部材に設置されると、前記支軸部が前記受け部に載置され、前記ホルダが、前記支軸部を軸として揺動可能に前記設置部材に保持される。こうすると、設置部材に設置した後にホルダを揺動させて、光学素子の位置調整を行うことができる。しかも、この場合、前記第１および第２の腕部の弾性復帰力によってホルダの側面が設置部材の保持部に押し付けられているため、ホルダの側面と保持部材との間の摩擦力によって、ホルダが各調整位置に仮止めされる。よって、ホルダの調整を円滑に行うことができる。
【００１６】
本発明の第２の態様は、光学素子とそのホルダが一体化された光学素子ユニットに関する。本態様に係る光学素子ユニットは、上記第１の態様に係る光学素子用のホルダと、前記ホルダに装着される光学素子と、を備える。
【００１７】
本態様によれば、上記第１の態様と同様の効果が奏され得る。
【００１８】
本発明の第３の態様は、光ピックアップ装置に関する。本態様に係る光ピックアップ装置は、第１の態様に係る光学素子用のホルダと、レーザ光源から出射されたレーザ光をディスクに照射するための光学系と、前記光学系が設置される前記設置部材としてのハウジングと、を備える。ここで、前記光学系を構成する少なくとも一つの光学素子が前記ホルダに保持され、前記光学素子を保持した前記ホルダが前記ハウジングのホルダ装着部に取り付けられる。
【００１９】
本態様によれば、上記第１の態様と同様の効果が奏され得る。
【発明の効果】
【００２０】
以上のとおり、本発明によれば、光学素子を簡易かつ適正に取り付けることが可能な光学素子用のホルダ、当該ホルダに光学素子が装着されてなる光学素子ユニット、および、当該光学素子ユニットを搭載する光ピックアップ装置を提供することができる。
【００２１】
本発明の特徴は、以下に示す実施の形態により更に明らかとなろう。ただし、以下の実施の形態は、あくまでも本発明の一つの実施形態であって、本発明ないし各構成要件の用語の意義は、以下の実施の形態により何ら制限されるものではない。
【図面の簡単な説明】
【００２２】
【図１】実施の形態に係る光ピックアップ装置の光学系を示す図である。
【図２】実施の形態に係る光ピックアップ装置の構成を示す図である。
【図３】実施の形態に係る光ピックアップ装置の構成を示す図である。
【図４】実施の形態に係るホルダの構成示す図である。
【図５】実施の形態に係るホルダの構成示す図である。
【図６】実施の形態に係るホルダの構成示す図である。
【図７】実施の形態に係るホルダに対する回折格子の取り付け工程を説明する図である。
【図８】実施の形態に係る穴と溝の作用を説明する図である。
【図９】実施の形態に係るハウジングに対するホルダの取り付け工程を説明する図である。
【図１０】実施の形態に係るハウジングに対するホルダの取り付け工程を説明する図である。
【発明を実施するための形態】
【００２３】
本実施の形態は、ＢＤ（ブルーレイディスク）、ＣＤ（Compact Disc）およびＤＶＤ（Digital Versatile Disc）にレーザ光を照射する光ピックアップ装置に本発明を適用したものである。
【００２４】
図１（ａ）、（ｂ）に、実施の形態に係る光ピックアップ装置の光学系を示す。図１（ａ）は光学系の上面図、図１（ｂ）は対物レンズアクチュエータ周辺部分を側面側から見た内部透視図、図１（ｃ）は半導体レーザ１０１におけるレーザ素子の配置状態を示す図である。
【００２５】
図１（ａ）を参照して、光ピックアップ装置は、半導体レーザ１０１と、回折格子１０２と、平板状の偏光ビームスプリッタ（ＰＢＳ）１０３と、λ／４板１０４と、コリメータレンズ１０５と、レンズアクチュエータ１０６と、立ち上げミラー１０７と、対物レンズ１０８と、回折光学素子１０９と、光検出器１１０を備える。
【００２６】
半導体レーザ１０１は、波長４００ｎｍ程度のレーザ光（以下、「ＢＤ光」という）と、波長６５０ｎｍ程度のレーザ光（以下、「ＤＶＤ光」という）と、波長７８０ｎｍ程度のレーザ光（以下、「ＣＤ光」という）を同一方向に出射する。
【００２７】
図１（ｃ）に示すように、半導体レーザ１０１は、一つのＣＡＮ内に、ＢＤ光、ＤＶＤ光、ＣＤ光をそれぞれ出射するレーザ素子１０１ａ、１０１ｂ、１０１ｃを備える。レーザ素子１０１ｂ、１０１ｃは、発光点の間隔がｗ２となるように一体的に形成され、レーザ素子１０１ａは、その発光点とレーザ素子１０１ｂの発光点との間隔がｗ１（ｗ１＞ｗ２）となるように形成されている。レーザ素子１０１ａ、１０１ｂ、１０１ｃは、各発光点が一直線上に並ぶように形成されている。半導体レーザ１０１以降の光学系は、その光軸がＤＶＤ光の光軸に整合するように調整されている。
【００２８】
回折格子１０２は、半導体レーザ１０１から出射されたＢＤ光、ＤＶＤ光、ＣＤ光のうちＢＤ光のみをメインビームと２つのサブビームに分割する。ＤＶＤ光とＣＤ光も回折格子１０２による回折作用を受けるが、これら光のサブビームの強度は、極めて小さくなっている。回折格子１０２は、光軸方向に見たときの輪郭が平行四辺形の板状の光学素子である。
【００２９】
ＰＢＳ１０３は、回折格子１０２側から入射されたレーザ光を反射する。ＰＢＳ１０３は、薄板状の平行平板となっており、その入射面に、偏光膜が形成されている。半導体レーザ１０１は、ＢＤ光、ＤＶＤ光、ＣＤ光の偏光方向がＰＢＳ１０３に対してＳ偏光となるように配置されている。
【００３０】
λ／４板１０４は、ＰＢＳ１０３によって反射されたレーザ光を円偏光に変換するとともに、ディスクからの反射光を、ディスクへ向かうときの偏光方向に直交する直線偏光に変換する。これにより、ディスクによって反射されたレーザ光はＰＢＳ１０３を透過して光検出器１１０へと導かれる。
【００３１】
コリメータレンズ１０５は、ＰＢＳ１０３によって反射されたレーザ光を平行光に変換する。レンズアクチュエータ１０６は、λ／４板１０４とコリメータレンズ１０５を、コリメータレンズ１０５の光軸方向に駆動する。
【００３２】
レンズアクチュエータ１０６は、移動部材１０６ａと、シャフト１０６ｂと、ギア１０６ｃと、モータ１０６ｄとを備える。移動部材１０６ａは、λ／４板１０４とコリメータレンズ１０５を保持している。移動部材１０６ａは、コリメータレンズ１０５の光軸方向
に移動可能にシャフト１０６ｂに支持されている。また、移動部材１０６ａにはギア（図示せず）が配され、このギアが、ギア１０６ｃに噛み合っている。ギア１０６ｃは、モータ１０６ｄの駆動軸に連結されている。モータ１０６ｄが駆動されることにより、移動部材１０６ａに保持されたコリメータレンズ１０５がλ／４板１０４とともに移動する。こうして、コリメータレンズ１０５が制御信号に応じて移動されることにより、レーザ光に生じる収差が補正される。
【００３３】
立ち上げミラー１０７は、コリメータレンズ１０５を介して入射されたレーザ光を対物レンズ１０８に向かう方向に反射する。対物レンズ１０８は、対物レンズホルダ１２１に保持され、対物レンズホルダ１２１は、対物レンズアクチュエータ１２２によって、フォーカス方向およびトラッキング方向に駆動される。このように対物レンズホルダ１２１が駆動されることにより、対物レンズ１０８が、フォーカス方向およびトラッキング方向に駆動される。
【００３４】
ディスクからの反射光は、λ／４板１０４によりＰＢＳ１０３に対してＰ偏光となる直線偏光に変換される。これにより、ディスクからの反射光は、ＰＢＳ１０３を透過する。ＰＢＳ１０３は、ＢＤ光、ＤＶＤ光、ＣＤ光の光軸に対して４５度傾くように配置されている。このため、ＢＤ光、ＤＶＤ光、ＣＤ光が収束状態でＰＢＳ１０３を透過すると、これらの光に非点収差が導入される。
【００３５】
回折光学素子１０９は、ＢＤ光、ＤＶＤ光、ＣＤ光を回折させる。回折光学素子１０９は、ＢＤ光に対しては＋１次の回折効率が高く、ＤＶＤ光、ＣＤ光に対しては０次の回折効率が高くなるよう設計されている。ＢＤ光の＋１次の回折光は、回折光学素子１０９によってＤＶＤ光の光軸に近づく方向に曲げられ、光検出器１１０の受光面上において、ＤＶＤ光の照射位置に照射される。
【００３６】
光検出器１１０には、ＤＶＤ光とＣＤ光の０次の回折光が照射される位置に、それぞれ、４分割センサが配置されている。ＢＤ光のメインビーム（＋１次回折光）は、上記のように回折光学素子１０９により回折されることにより、ＤＶＤ光を受光する４分割センサに照射される。さらに、光検出器１１０には、ＢＤ光の２つのサブビーム（＋１次回折光）が照射される位置に４分割センサが配置されている。光検出器１１０のセンサレイアウトは、各センサからの出力により、再生ＲＦ信号、フォーカスエラー信号、トラッキングエラー信号が生成されるよう設定されている。
【００３７】
図２は、光ピックアップ装置をビーム出射側から見たときの斜視図である。図２には、図１（ａ）、（ｂ）に示す構成のうち、対物レンズ１０８、対物レンズホルダ１２１、対物レンズアクチュエータ１２２が示されている。その他の光学系は、ハウジングＭの裏面に装着されている。ハウジングＭは、ＰＰＳ（ポリフェニレンスルファイド）により形成されている。
【００３８】
図３は、光ピックアップ装置を裏側から見たときの斜視図である。図３には、図１（ａ）、（ｂ）に示す構成のうち、半導体レーザ１０１、回折格子１０２、ＰＢＳ１０３、λ／４板１０４、移動部材１０６ａ、シャフト１０６ｂ、ギア１０６ｃ、モータ１０６ｄ、立ち上げミラー１０７が示されている。
【００３９】
図３に示すように、ハウジングＭは、周囲に側壁を有する有底の箱型形状となっている。すなわち、ハウジングＭに裏側には、周囲を側壁によって覆われた凹部が形成されており、この凹部内に、凹部内の領域を区画する壁が設けられることによって、光学系の各部材を設置するための受け部が形成されている。光学系の各部材は、直接またはホルダに収容された状態で、対応する受け部に設置される。回折格子１０２は、回折格子ホルダＨに
収容された状態で、ハウジングＭに取り付けられる。
【００４０】
図４ないし図６は、回折格子ホルダＨの構成を示す図である。図４は、回折格子ホルダＨを前側から見た斜視図、図５は、回折格子ホルダＨを前側から見た平面図、図６（ａ）は、回折格子ホルダＨを前側から見た斜視図、図６（ｂ）は、回折格子ホルダＨを後側から見た斜視図である。図４ないし図６には、上下左右前後の方向が、互いに直交する矢印によって示されている。
【００４１】
図４を参照して、回折格子ホルダＨは、可撓性を有する材料により一体形成されている。たとえば、回折格子ホルダＨは、ポリカーボネートにガラス繊維を混ぜ込んだ材料により形成される。回折格子ホルダＨの外形は、左右対称となっている。回折格子ホルダＨは、金型を用いて形成される。
【００４２】
回折格子ホルダＨには、中央に、回折格子１０２を嵌め込むための壁Ｈ１１ａ〜Ｈ１１ｅが形成されている。図２に示すように、壁Ｈ１１ａ〜Ｈ１１ｅは、回折格子１０２の輪郭よりもやや大きい平行四辺形の領域Ｒを規定するように形成されている。壁Ｈ１１ａ〜１１ｅで囲まれた領域には、ＢＤ光、ＤＶＤ光、ＣＤ光を通すための開口Ｈ１２が形成されている。壁Ｈ１１ａと壁Ｈ１１ｂは、左右方向に互いに離れており、壁Ｈ１１ａと壁Ｈ１１ｂとの間に、壁Ｈ１１ａから左方向に延びる鍔部Ｈ１３が形成されている。鍔部Ｈ１３の後端には、左右方向に延びる板部Ｈ１４が連設されている。
【００４３】
鍔部Ｈ１３には、前後方向に延びる三角注状の突部Ｈ１５が形成されている。突部Ｈ１５の後端は、板部Ｈ１４に繋がっている。突部Ｈ１５には、前後方向と左右方向に平行な平面部Ｈ１５ａが形成されている。また、突部Ｈ１５の前端には、下方向に向かうほど後ろ側に後退した斜面Ｈ１５ｂが形成されている。図５に示すように、突部Ｈ１５は、領域Ｒに係るように形成されている。また、鍔部Ｈ１３の上側と左側に隙間があるため、突部Ｈ１５は、鍔部が上方向に撓むことにより、上方向に変位可能となっている。
【００４４】
突部Ｈ１５の高さは、後述のように回折格子１０２を嵌め込むときに、回折格子１０２の端縁に押されて退避する高さに設定される。なお、回折格子１０２の端縁に押されて退避する際に、突部Ｈ１５の先端がやや潰れても良い。
【００４５】
壁Ｈ１１ａ〜１１ｅで囲まれた領域には、上下左右方向に平行な支持面Ｈ１６、Ｈ１７が形成されている。支持面Ｈ１６、Ｈ１７は、同一平面上に配置される。すなわち、壁Ｈ１１ａ〜１１ｅで囲まれた領域は、前側が開放された箱形状となっており、支持面Ｈ１６、Ｈ１７は、この箱形状の底面に対応する。支持面Ｈ１６、Ｈ１７は、回折格子１０２を回折格子ホルダＨに装着する際に、回折格子１０２の後面を支持する。支持面Ｈ１６、Ｈ１７を基準とする壁Ｈ１１ａ〜１１ｅの高さは、回折格子１０２の厚みと同じかそれよりも若干小さく設定される。ここでは、支持面Ｈ１６、Ｈ１７を基準とする壁Ｈ１１ａ〜１１ｅの高さが、回折格子１０２の厚みよりも若干小さく設定されているため、回折格子１０２の後面を支持面Ｈ１６、Ｈ１７に当接させると、回折格子１０２の前面が、壁Ｈ１１ａ〜１１ｅの前端よりも前側にやや飛び出した状態となる。
【００４６】
壁Ｈ１１ａ〜１１ｅで囲まれた領域には、図５に示すように、領域Ｒの輪郭に沿って溝Ｈ１８が形成されている。図４に示すように、溝１８の底面は、支持面Ｈ１６、Ｈ１７よりも、ステップ状に後ろ側に後退している。また、領域Ｒの対角の位置には、凹部Ｈ１９ａ、１９ｂが形成され、これら対角の位置に挟まれた頂角の位置に凹部Ｈ２０が形成されている。凹部Ｈ１９ａ、１９ｂの底面は、支持面Ｈ１６、Ｈ１７よりも前側にあり、凹部２０の底面は、前後方向において、溝Ｈ１８の底面と同じ位置にある。
【００４７】
回折格子ホルダＨには、左右対称な位置に、下方向に延びる腕部Ｈ２１、Ｈ２２が形成されている。腕部Ｈ２１、Ｈ２２の前面は、前後方向において、同じ位置にある。また、腕部Ｈ２１、Ｈ２２の前面は、前後方向において、回折格子ホルダＨの下部の面Ｐａ、Ｐｂと同じ位置にある。腕部Ｈ２１、２２の前面には、それぞれ、球面状の突部Ｈ２１ａ、Ｈ２２ａが形成されている。突部Ｈ２１ａ、Ｈ２２ａは、左右対称な位置にあり、突部Ｈ２１ａ、Ｈ２２ａの突出量は、互いに同じである。
【００４８】
図４に示すように、腕部Ｈ２１の左側と下側には隙間が設けられており、且つ、腕部Ｈ２１の前面が後面側に抉られて腕部Ｈ２１の前後方向の厚みが薄くなっているため、腕部Ｈ２１は前後方向に撓み得る。同様に、腕部Ｈ２２の右側と下側には隙間が設けられており、且つ、腕部Ｈ２２の前面が後面側に抉られて腕部Ｈ２２の前後方向の厚みが薄くなっているため、腕部Ｈ２２は前後方向に撓み得る。
【００４９】
回折格子ホルダＨの下端には、斜面Ｈ３１、Ｈ３２が形成され、斜面Ｈ３１、Ｈ３２に続いて、曲面Ｈ３３、Ｈ３４が形成されている。さらに、斜面Ｈ３１、Ｈ３２の間に、円柱状の支持部Ｈ３５が形成されている。斜面Ｈ３１、Ｈ３２、曲面Ｈ３３、Ｈ３４および支持部Ｈ３５は、上下方向および前後方向に平行な面に対して対称な形状となっている。
【００５０】
図６（ｂ）を参照して、回折格子ホルダＨの後面は、前後方向に垂直な平面となっている。腕２１、２２の後面は、前後方向において同じ位置にあり、且つ、回折格子ホルダＨの後面よりも前側にある。
【００５１】
図７（ａ）〜（ｃ）は、回折格子ホルダＨに対する回折格子１０２の取り付け工程を説明する図である。
【００５２】
図７（ａ）に示すように、回折格子１０２は、前側から、壁Ｈ１１ａ〜Ｈ１１ｅに囲まれた領域に嵌め込まれる。このとき、回折格子１０２は、下面が壁Ｈ１１ｅに当接し、左面が壁Ｈ１１ｄに当接するように嵌め込まれる。こうして回折格子１０２が嵌め込まれると、図７（ｂ）に示すように、回折格子１０２の上縁部が、突部Ｈ１５の傾斜面Ｈ１５ｂに当たる。この状態から、回折格子１０２をさらに押し込むと、図７（ｃ）に示すように、鍔部Ｈ１３が上方向に撓み、突部Ｈ１５が上方向（矢印方向）に変位する。これにより、突部Ｈ１５の下端が回折格子１０２の上面に乗り上げる。
【００５３】
その後、回折格子１０２の後面が支持面Ｈ１６、Ｈ１７の全面に適正に当接するまで、回折格子１０２がさらに押し込まれる。この状態で、左面が壁Ｈ１１ｄに当接するよう、再度、回折格子１０２の左面が壁１１ｄに押し付けられる。なお、回折格子１０２が壁１１ａ〜１１ｅに囲まれた領域に嵌め込まれる際、図７（ｃ）に示すように、突部１５ｂの先端が回折格子１０２の上面によって、やや潰される。
【００５４】
こうして、回折格子１０２が回折格子ホルダＨに取り付けられると、回折格子１０２は、鍔部Ｈ１３の復帰力によって、下方向に向かう力を受ける。この力によって、回折格子１０２の下面が壁Ｈ１１ｅに押し付けられ、これにより、回折格子１０２は、回折格子ホルダＨに対して、上下左右方向に位置決めされる。しかる後、凹部Ｈ１９ａと回折格子１０２の右面との境界（図７（ｂ）の破線円で示す位置）と、凹部Ｈ１９ｂと回折格子１０２の左面との境界（図７（ｂ）の破線円で示す位置）に、それぞれ、接着剤が流し込まれ、回折格子１０２が回折格子ホルダＨに固着される。これにより、回折格子ホルダＨに対する回折格子１０２の装着が完了し、回折格子ホルダＨに回折格子１０２が装着された光学素子ユニットが形成される。
【００５５】
図８（ａ）は、回折格子１０２を回折格子ホルダＨに取り付ける際の凹部Ｈ２０の作用
を示す図である。図８（ａ）には、回折格子１０２の右下の角部分が示されている。図８（ｂ）は、凹部Ｈ２０が形成されていない場合の比較例を示す図である。
【００５６】
図８（ｂ）の比較例のように、凹部Ｈ２０が形成されていないと、回折格子ホルダＨの成形時のなまり（つまり、金型の加工精度）により、壁Ｈ１１ｄと壁Ｈ１１ｅとの境界が、鋭角にならずに曲面になる。このため、回折格子１０２の左下の角がこの曲面に当接し、回折格子１０２の左下の角部分において、回折格子１０２と壁Ｈ１１ｄ、Ｈ１１ｅとの間に隙間が生じる。その結果、回折格子１０２が面内方向に僅かに回転し、回折格子１０２を適正な装着位置に位置づけることができなくなる。また、図８（ｂ）の状態から、回折格子１０２の下面と左面を壁Ｈ１１ｄ、Ｈ１１ｅに当接させようとすると、回折格子１０２の左下の角の部分が欠けてしまう。
【００５７】
これに対し、図８（ａ）のように凹部Ｈ２０を形成すると、回折格子１０２の左下の角が凹部Ｈ２０内に逃がされるため、回折格子ホルダＨの成形時のなまりが生じても、回折格子１０２の左下の角が回折格子ホルダＨに当接することが無い。これにより、回折格子１０２の下面および左面を壁Ｈ１１ｄ、Ｈ１１ｅに隙間なく沿わせることができ、回折格子１０２を適正な装着位置に位置づけることができる。
【００５８】
図８（ｃ）は、回折格子１０２を回折格子ホルダＨに取り付ける際の溝Ｈ１８の作用を示す図である。図８（ｃ）には、回折格子１０２の右側後端の角部分が示されている。図８（ｄ）は、溝Ｈ１８が形成されていない場合の比較例を示す図である。
【００５９】
図８（ｄ）の比較例のように、溝Ｈ１８が形成されていないと、回折格子ホルダＨの成形時のなまりにより、支持面Ｈ１６と壁Ｈ１１ｅとの境界が、鋭角にならずに曲面になる。このため、回折格子１０２の右側後端の角がこの曲面に当接し、回折格子１０２の右側後端の角部分において、回折格子１０２と支持面Ｈ１６との間に隙間が生じる。その結果、回折格子１０２が前後方向に僅かに回転し、回折格子１０２を適正な装着位置に位置づけることができなくなる。
【００６０】
これに対し、図８（ｃ）のように溝Ｈ１８を形成すると、回折格子１０２の右側後端の角と溝Ｈ１８との間に隙間が生じるため、回折格子ホルダＨの成形時のなまりが生じても、回折格子１０２の右側後端の角が回折格子ホルダＨに当接することが無い。これにより、回折格子１０２の後面を支持面Ｈ１６に隙間なく沿わせることができ、回折格子１０２を適正な装着位置に位置づけることができる。なお、ここでは、壁Ｈ１１ａ〜Ｈ１１ｅに囲まれた領域に沿って形成された溝Ｈ１８の内、溝Ｈ１８の右側の部分に関する作用を説明したが、溝Ｈ１８の上側、左側、下側の部分においても、上記と同様の作用が実現される。
【００６１】
図９は、ハウジングＭにおける回折格子ホルダＨの取り付け部分を示す図である。図９（ａ）は、回折格子ホルダＨが装着される前のハウジングＭの状態を示す図、図９（ｂ）は、回折格子ホルダＨが装着された後のハウジングＭの状態を示す図である。
【００６２】
図９（ａ）を参照して、ハウジングＭには、回折格子ホルダＨの後面が押し付けられる支持面Ｍ１１が形成され、この支持面Ｈ１１に、半導体レーザ１０１からの光を通すための開口Ｍ１２が形成されている。さらに、支持面Ｍ１１に対向し、且つ、支持面Ｍ１１に平行な２つの当接面Ｍ１３、Ｍ１４（当接面Ｍ１４は、図９（ａ）には図示せず。図１０参照）が形成されている。当接面Ｍ１３、Ｍ１４は、前後方向において同じ位置にある。
【００６３】
支持面Ｍ１１と当接面Ｍ１３、Ｍ１４との間隔は、図４の面Ｐａ、Ｐｂと回折格子ホルダＨの後面との距離（回折格子ホルダＨの下部の厚み）に比べて僅かに大きくなっている
。また、ハウジングＭには、左右に向き合う壁Ｍ１５、Ｍ１６が形成され、さらに、回折格子１０２を透過した光を通すための切り欠きＭ１７が形成されている。回折格子ホルダＨは、図９（ｂ）に示す位置まで、支持面Ｍ１１と当接面Ｍ１３、Ｍ１４との間に挿入される。
【００６４】
図１０は、回折格子ホルダＨをハウジングＭに取り付ける工程を説明する図である。図１０は、回折格子ホルダＨの取り付け部分を前側から透視した図である。図１０（ａ）は、回折格子ホルダＨを支持面Ｍ１１と当接面Ｍ１３、Ｍ１４との間に挿入し終わる前の状態を示し、図１０（ｂ）は、回折格子ホルダＨを支持面Ｍ１１と当接面Ｍ１３、Ｍ１４との間に挿入し終わった状態を示している。
【００６５】
図１０（ａ）に示すように、ハウジングＭには、斜面Ｍ１８、Ｍ１９と、前後に延びる円柱状の凹部Ｍ２０が形成され、さらに、斜面Ｍ１８、Ｍ１９と壁Ｍ１５、Ｍ１６との境界に、それぞれ、曲面Ｍ２１、Ｍ２２が形成されている。ここで、凹部Ｍ２０は、支持部Ｈ３５の外周面と同様の形状を有している。すなわち、支持部Ｈ３５が円柱形状であるため、支持部Ｈ３５の側面に当接するように、円柱面状に凹んだ形状となっている。
【００６６】
回折格子ホルダＨを支持面Ｍ１１と当接面Ｍ１３、Ｍ１４との間に挿入すると、回折格子ホルダＨの腕部Ｈ２１、Ｈ２２に形成された突部Ｈ２１ａ、Ｈ２２ａが、それぞれ、当接面Ｍ１３、Ｍ１４に上端に当たる。この状態から、さらに回折格子ホルダＨを挿入すると、腕部Ｈ２１、Ｈ２２がそれぞれ後方に撓み、図１０（ａ）に示すように、突部Ｈ２１ａ、Ｈ２２ａが、それぞれ、当接面Ｍ１３、Ｍ１４上に乗り上がる。その後、さらに、回折格子ホルダＨを挿入すると、図１０（ｂ）に示すように、支持部Ｈ３５が凹部Ｍ２０に嵌まり込む。これにより、回折格子ホルダＨの挿入が終了する。
【００６７】
図１０（ｂ）の状態において、回折格子ホルダＨは、腕部Ｈ２１、Ｈ２２の復帰力によって、後面が、ハウジングＭの支持面Ｍ１１に押し付けられる。これにより、回折格子ホルダＨは、前後方向に位置決めされる。また、支持部Ｈ３５が凹部Ｍ２０に嵌まり込むことにより、回折格子ホルダＨは、左右方向に位置決めされる。
【００６８】
なお、図１０（ｂ）の状態において、回折格子ホルダＨの左右の側面と、壁Ｍ１６および壁Ｍ１５との間には隙間があり、また、回折格子ホルダＨの斜面Ｈ３１、Ｈ３２とハウジングＭの斜面Ｍ１８、Ｍ１９との間にも隙間がある。このため、回折格子ホルダＨは、支持部Ｈ３５を軸として面内方向に回転可能である。
【００６９】
図１０（ｂ）の状態において、半導体レーザ１０１からレーザ光を出射させて、支持部Ｈ３５を軸とした回折格子ホルダＨ（回折格子１０２）の回転位置が調整される。このとき、回折格子ホルダＨは、腕部Ｈ２１、Ｈ２２の復帰力によって、後面がハウジングＭの支持面Ｍ１１に適度に押し付けられて摩擦力が生じているため、支持部Ｈ３５を軸とした回折格子ホルダＨの回動位置を、円滑に微調整することができる。回折格子ホルダＨの後面をハウジングＭの支持面Ｍ１１に押し付ける力は、腕部Ｈ２１、Ｈ２２の厚みを調整することにより調整される。こうして、回転位置の調整が終わると、回折格子ホルダＨとハウジングＭとが接着され、回折格子ホルダＨがハウジングＭに固着される。これにより、ハウジングＭに対する回折格子１０２の設置が完了する。
【００７０】
＜実施の形態の効果＞
本実施の形態によれば、以下の効果が奏され得る。
【００７１】
突部１５に対向する壁Ｈ１１ｅの内側面に回折格子１０２の下面を当接させつつ壁１１ａ〜１１ｅに回折格子１０２を嵌め込むことにより、回折格子１０２を回折格子ホルダＨ
に保持させることができる。このとき、鍔部Ｈ１３が変形し、その復元力によって、回折格子１０２の下面が壁Ｈ１１ｅに押し付けられる。これにより、回折格子１０２の位置ずれが抑制され、回折格子ホルダＨに対して回折格子１０２が位置決めされる。この状態で、回折格子１０２と回折格子ホルダＨとの間に接着材を付与することで、回折格子１０２が回折格子ホルダＨに固定される。このように、本実施の形態によれば、回折格子１０２を簡易かつ適正に回折格子ホルダＨに取り付けることができる。
【００７２】
突部Ｈ１５は、前後方向に延びる三角柱状の形状を有するため、回折格子１０２の厚み方向の広い範囲において、突部Ｈ１５が回折格子１０２を押すようになる。このため、安定的に、回折格子１０２を壁Ｈ１１ｅに押し付けることができる。
【００７３】
突部１５の前端が斜面Ｈ１５ｂとなっているため、回折格子１０２を嵌め込む際に、突部１５が回折格子１０２の側面に乗り上げ易くなり、回折格子１０２の取り付け作業が容易になる。
【００７４】
領域Ｒの輪郭に沿って溝Ｈ１８が形成されているため、図８（ｃ）、（ｄ）を参照して説明したように、支持面Ｈ１６、Ｈ１７と壁Ｈ１１ａ〜Ｈ１１ｅとの境界が、ホルダ成形時のなまりによって丸みを帯びても、この部分に回折格子１０２が当接するのを回避できる。よって、回折格子１０２を回折格子ホルダＨに適正に取り付けることができる。
【００７５】
壁Ｈ１１ｄと壁Ｈ１１ｅとの境界に凹部Ｈ２０が形成されているため、図８（ａ）、（ｂ）を参照して説明したように、壁Ｈ１１ｄと壁Ｈ１１ｅとの境界が、ホルダ成形時のなまりによって丸みを帯びても、この部分に回折格子１０２が当接するのを回避できる。よって、回折格子１０２を回折格子ホルダＨに適正に取り付けることができる。
【００７６】
一体成形時に回折格子ホルダＨに設けられる空間を調整することにより、突部Ｈ１５を弾性的に変位させることができ、また、腕部Ｈ２１、Ｈ２２を弾性的に変形されることができる。よって、簡素な構成により、回折格子１０２を保持するための機構および回折格子ホルダＨをハウジングＭに保持させる機構を実現することができる。
【００７７】
ハウジングＭに回折格子ホルダＨ設置した後、支持部Ｈ３５を軸として回折格子ホルダＨを揺動させて、回折格子１０２の位置調整を行うことができる。しかも、このとき、腕部Ｈ２１、Ｈ２２の弾性復帰力によって回折格子ホルダＨの後面がハウジングＭの支持面Ｍ１１に押し付けられているため、回折格子ホルダＨの後面と支持面Ｍ１１との間の摩擦力によって、回折格子ホルダＨが各調整位置に仮止めされる。よって、回折格子ホルダＨの調整を円滑に行うことができる。
【００７８】
ここで、回折格子１０２と回折格子ホルダＨの構造上の特徴を、再度、補足的に説明しておく。
【００７９】
回折格子１０２は、前面および後面と、前面の周囲および後面の周囲をつなぐ４つの側面とを有する６面体から成る。通常、回折格子１０２の前面と後面は、矩形または平行四辺形からなる。図７の回折格子１０２において、２つの長辺のうち、突部Ｈ１５側（上側）の長辺を第１の長辺、これと対向する下側の長辺を第２の長辺とし、２つの短辺のうち、凹部Ｈ２０がある左側の短辺を第１の短辺、これに対向する右側の短辺を第２の短辺とする。
【００８０】
この回折格子１０２は、図４に示す実装空間を有する回折格子ホルダＨに配置される。この回折格子ホルダＨには、後面から所定の厚みを有する底板があり、この底板の前面が支持面Ｈ１６、Ｈ１７となっている。また、前記底板の前面（支持面Ｈ１６、Ｈ１７）か
ら、垂直に立ち上がる当接壁（壁Ｈ１１ａ〜Ｈ１１ｅ）が、前記回折格子１０２の４つの側面を支持するように、所定の厚みを持って立ち上がっている。
【００８１】
回折格子ホルダＨには、凹部Ｈ２０の位置において角部を構成する第１の短辺用の当接壁（壁Ｈ１１ｄ）と、第２の長辺用の当接壁（壁Ｈ１１ｅ）が形成されており、また、第２の短辺側には、第２の短辺用の当接壁（壁Ｈ１１ｃ）が形成されている。更には、突部Ｈ１５を内側に持つ第１の長辺用の当接壁（壁Ｈ１１ａ、Ｈ１１ｂ）が形成されている。
【００８２】
この４つの当接壁を囲んだ回折格子配置領域は、底板（支持面Ｈ１６、Ｈ１７）が露出し、その底板の中央には、前記底板をくり貫いた開口部（開口Ｈ１２）が設けられている。
【００８３】
また、第１の長辺用の当接壁（壁Ｈ１１ａ、Ｈ１１ｂ）は、左右方向に分離されて二つになっており、その分離部分は、底板の裏側まで到達している。この分離部分によって、第１の長辺用の当接壁（壁Ｈ１１ａ、Ｈ１１ｂ）は完全に分離され、そこから開口部（開口Ｈ１２）に分離部分が繋がっている。この分離部分は空間であるが、その形状は、Ｌ型である。突部Ｈ１５が設けられた右側の当接壁（壁Ｈ１１ａ）は、第２の短辺用の当接壁（壁Ｈ１１ｃ）へと繋がっており、第１の長辺に沿って延在している。なお、第１の短辺用の当接壁（壁Ｈ１１ｄ）へと繋がる左側の当接壁（壁Ｈ１１ｂ）に突部Ｈ１５が設けられても良い。
【００８４】
突部Ｈ１５を有する第１の長辺用当接壁（壁Ｈ１１ａ）は、上述の分離部分により、左側の第１の長辺用当接壁（壁Ｈ１１ｂ）および回折格子配置領域の左側と完全に分離され、バネの様な弾性を有した可撓な部位となる。この部位は、ちょうど板バネが分断されて、一方が上下方向に移動する機械スイッチの如き動作が可能となる。
【００８５】
なお、突部Ｈ１５のある第１の長辺用の当接壁（壁Ｈ１１ａ）の後ろ側に位置する底板（鍔部Ｈ１３）は、削除されても良い。
【００８６】
回折格子１０２は、第１の短辺用の当接壁（壁Ｈ１１ｄ）の壁面と、第２の長辺用の当接壁（壁Ｈ１１ｅ）の壁面を基準面として装着されるため、回折格子１０２の第１の短辺に対応する側面と、第２の長辺に対応する側面が、これらの壁面に当接される。凹部Ｈ２０は、回折格子１０２の角が鋭角であり、機械的に弱いこと、および、図８（ｂ）に示すアール部によりこれらの側面が上記基準となる壁面に完全に当接できないとの理由により、回折格子１０２の角から離れる方向に凹ませている。なお、凹部Ｈ２０を設ける代わりに、凹部Ｈ２０に対応する部分を後面へと完全にくり貫いても良い。回折格子配置領域は、回折格子１０２に比べて、縦・横ともに若干大きく設計されているため、図７（ｂ）の如く、回折格子１０２と、第１の長辺用の当接壁および第２の短辺用の当接壁との間に隙間が構成され、これにより、回折格子配置領域に対する回折格子１０２の配置が容易となる。
【００８７】
さらに、回折格子１０２の後面にも角部があるため、底板（支持面Ｈ１６、Ｈ１７）に、逃げ（溝Ｈ１８）が作られている。この逃げ（溝Ｈ１８）は、底板を、その上面（支持面Ｈ１６、Ｈ１７）から後側に向かって掘るように形成され、回折格子１０２の側面の外側から内側へと亘る幅で、回折格子１０２の周囲をぐるりと回るように形成されている。図７（ｂ）では、逃げ（溝Ｈ１８）は、４つの当接壁の直下の位置から回折格子１０２の内側まで入り込むように形成されている。こうすることで、回折格子１０２の後面周囲の角部は、逃げ（溝Ｈ１８）により、底板に当接しないため、欠け等の発生を抑止できる。
【００８８】
また、前記底板の上側または当接壁の上側からは、腕部（腕部Ｈ２１、Ｈ２２）が伸び
ている。この腕部は、突部Ｈ１５がある回折格子ホルダＨの上側から、下側に向かって伸びている。左側の腕部（腕部Ｈ２２）を第１の腕部、右側の腕部（腕部Ｈ２１）を第２の腕部とする。たとえば、第１の腕部（腕部Ｈ２２）は、その右側と下側に、Ｌ字状の分離領域が設けられている。この分離領域は、回折格子ホルダＨの前側から後側までくり貫かれているため、少なくとも前後に微動するバネ性の弾性を有する腕となる。第２の腕部（腕部Ｈ２１）も、第１の腕部（腕部Ｈ２２）と同様、前後にＬ字型にくり貫かれ、前後に弾性を有する腕となる。
【００８９】
一方、４つの当接壁の外周には、補強の区画壁（第１の長辺用の区画壁、第２の長辺用の区画壁、第１の短辺用の区画壁、第２の短辺用の区画壁）が４辺に渡り設けられている。これらの区画壁の前面が、回折格子ホルダＨの最前面となっており、回折格子ホルダＨは、これらの区画壁の部分において、最も肉厚となっている。当接壁の前面は、区画壁から後ろ側に若干後退した位置にある。第１の腕部（腕部Ｈ２２）と、第２の腕部（腕部Ｈ２１）は、これらの区画壁から一体的に設けられている。つまり、第１の腕部（腕部Ｈ２２）は、第１の短辺用区画壁の上側から、分離領域（隙間）を挟むようにして、下側に伸びており、第２の腕部（腕部Ｈ２１）は、第２の短辺用区画壁の上側から、分離領域（隙間）を挟むようにして、下側に伸びている。これらの腕部は、区画壁の前側がえぐられて形成されており、その厚みが薄くなっている。なお、これらの腕部は、区画壁の後側または前側と後側の両方がえぐられて形成されても良い。腕部の厚みは、回折格子ホルダＨの裏面から区画壁上面までの厚み（回折格子ホルダＨの最も肉厚部分の厚み）よりも小さく、回折格子ホルダＨの裏面から区画壁上面までの厚みの１/３以上である。
【００９０】
さらには、これらの腕部の下部には、その上面に突部（突部Ｈ２１ａ、Ｈ２２ａ）が設けられている。この突部は、球を分断した球状体でなっているが、突部Ｈ１５と同様、その形状は、限定されない。
【００９１】
また、第２の長辺用の区画壁の中央には、軸が前後に向かう円筒状の支持部（支持部Ｈ３５）が設けられている。そして、この支持部Ｈ３５からは、第２の長辺用の区画壁と段差を有する厚みの薄い挿入部（面Ｐａ、Ｐｂと回折格子ホルダＨの後面とに挟まれた部分）が腕部（腕部Ｈ２１、Ｈ２２）の下側まで延在している。この薄い挿入板と腕部は同じ厚さか、または、腕部が若干挿入板よりも薄く形成される。よって、図９（ｂ）に示したように、回折格子１０２が装着された回折格子ホルダーＨが、ハウジングＭに形成された互いに向き合う当接壁（支持面Ｍ１１）と当接壁（当接面Ｍ１３、Ｍ１４）との間に挿入されると、当接壁（当接面Ｍ１３、Ｍ１４）に前記突部（突部Ｈ２１ａ、Ｈ２２ａ）が当接する。
【００９２】
以上、これら回折格子ホルダＨは、樹脂で一体形成され、金型により量産が可能となり、しかも、金属等のバネを使わずに保持機構が構成される。つまり、かかる樹脂成型品に分離領域を設け、さらに、各部位の厚みを調整することで、突部（突部Ｈ１５、Ｈ２１ａ、Ｈ２２ａ）が可撓となっている。かかる構成により、回折格子１０２を保持するための機構、あるいは、回折格子ホルダＨ自体がハウジングＭに保持される機構が、実現される。また、回折格子ホルダＨは、樹脂一体物であるため、コストの低減と軽量化が可能となる。
【００９３】
以上、本発明の実施の形態について説明したが、本発明は、上記実施の形態に何ら制限されるものではなく、また、本発明の実施の形態も上記以外に種々の変更が可能である。
【００９４】
たとえば、上記実施の形態では、回折格子１０２のためのホルダＨに本発明を適用した例が示されたが、本発明は、回折格子１０２に限らず、回折光学素子１０９等、光ピックアップ装置内の他の光学素子のためのホルダにも、適宜、適用可能である。
【００９５】
また、上記実施の形態では、回折格子１０２の輪郭が平行四辺形であったが、これに限らず、回折格子１０２の形状が、正方形や長方形等、他の形状であっても良い。
【００９６】
また、上記実施の形態では、突部Ｈ１５が三角柱状の形状であったが、これに限らず、突部Ｈ１５の形状は、四角柱状の形状や半円柱状の形状、円柱を長手方向に切断した形状等、他の形状であっても良い。また、突部Ｈ２１ａ、Ｈ２２ａのように球の一部をカットした形状の突部を、前後方向に少なくとも一カ所設けても良い。さらに、上記実施の形態では、突部Ｈ１５が、壁Ｈ１１ａの一部となる鍔部Ｈ１３に形成されたが、他の壁部の位置から突出するように突部Ｈ１５が設けられても良い。また、突部Ｈ１５は、必ずしも壁Ｈ１１ａ〜Ｈ１１ｅの壁面と同一平面となるように延設された部分に形成されなくても良く、たとえば、壁Ｈ１１ａ〜Ｈ１１ｅから外側に後退した部分に形成されても良い。
【００９７】
さらに、上記実施の形態では、５つの壁Ｈ１１ａ〜Ｈ１１ｅによって領域Ｒが規定されたが、領域Ｒを規定する壁の数は、これに限らず、たとえば、壁Ｈ１１ｅが左右方向に分離されている等、６つ以上であっても良い。
【００９８】
また、上記実施の形態では、腕部Ｈ２１、Ｈ２２が略真下に延びるように形成されたが、上下方向に対して傾くように腕部Ｈ２１、Ｈ２２が形成されても良く、また、腕部Ｈ２１、Ｈ２２が延びる方向も、互いに平行でなく、たとえば、それぞれ、端部が中央に近づくように傾いていても良い。さらに、上記実施の形態では、腕部Ｈ２１、Ｈ２２は、下方向に延びていたが、上方向に延びていても良い。また、腕部Ｈ２１、Ｈ２２に形成される突部Ｈ２１ａ、Ｈ２１ｂの形状、位置も適宜修正可能である。
【００９９】
この他、回折格子ホルダＨをハウジングＭに装着するための構造や、光ピックアップ装置の光学系の構成等も、適宜、種々の変更が可能である。また、本発明は、光ピックアップ装置以外の光学装置における光学素子のためのホルダにも適用可能である。
【０１００】
本発明の実施の形態は、特許請求の範囲に示された技術的思想の範囲内において、適宜、種々の変更が可能である。
【符号の説明】
【０１０１】
１０２  …  回折格子（光学素子）
Ｈ  …  回折格子ホルダ（ホルダ）
Ｈ１１ａ  …  壁（壁面、第３の壁面）
Ｈ１１ｂ  …  壁（壁面、第４の壁面）
Ｈ１１ｃ  …  壁（壁面）
Ｈ１１ｄ  …  壁（第２の壁面）
Ｈ１１ｅ  …  壁（第１の壁面）
Ｈ１５  …  突部
Ｈ１５ｂ  …  斜面
Ｈ１６、Ｈ１７  …  支持面
Ｈ１８  …  溝（溝部）
Ｈ１３  …  鍔部（支持部）
Ｈ２０  …  凹部（逃がし部）
Ｈ２１、Ｈ２２  …  腕部（腕）
Ｈ２１ａ、Ｈ２２ａ  …  突部
Ｈ３５  …  支持部（支軸部）
Ｍ  …  ハウジング
Ｍ１１  …  支持面（保持部）
Ｍ１３  …  当接面
Ｍ２０  …  凹部（凹部）
【図１】
2013105516.tif 000003
【図２】
2013105516.tif 000004
【図３】
2013105516.tif 000005
【図４】
2013105516.tif 000006
【図５】
2013105516.tif 000007
【図６】
2013105516.tif 000008
【図７】
2013105516.tif 000009
【図８】
2013105516.tif 000010
【図９】
2013105516.tif 000011
【図１０】
2013105516.tif 000012